(57)【要約】【課題】  飲料を飲み終わって空になったペットボトルを再利用すべく、握柄を取り付けて打撃応援用具としたいのであるが、握柄を持ってペットボトルを叩いた時に、或いはペットボトル同士を叩き合わせた時に、遠くまで良く通るようなハッキリした音色の音を出すことが出来るようにしたい。【解決手段】  ペットボトルとこのペットボトルの口に螺合するネジ山を形成した握柄とから成るものであり、前記握柄は音を放出する発音部を備えると共に、前記ペットボトル内で発生した音を前記発音部から放出し得るように、前記発音部に至る音の通路が設けられている、打撃応援用具とした。また標準的なペットボトルの口に螺合するネジ山を形成した握柄であり、前記握柄は音を放出する発音部を備えると共に、前記ペットボトル内で発生した音を前記発音部から放出し得るように、前記発音部に至る音の通路が設けられている、ペットボトルの握柄とした。【選択図】図１
2010064787.tif 000002
【特許請求の範囲】
【請求項１】
ペットボトルとこのペットボトルの口に螺合するネジ山を形成した握柄とから成るものであって、前記握柄は音を放出する発音部を備えると共に、前記ペットボトル内で発生した音を前記発音部から放出し得るように、前記発音部に至る音の通路が設けられていることを特徴とする、ペットボトルを再利用した打撃応援用具。
【請求項２】
前記握柄が前記発音部に向けてホーン形状を呈する、請求項１に記載のペットボトルを再利用した打撃応援用具。
【請求項３】
前記握柄がストラップを備えている、請求項１に記載のペットボトルを再利用した打撃応援用具。
【請求項４】
前記握柄がその両端部に前記ネジ山を備えている、請求項１に記載のペットボトルを再利用した打撃応援用具。
【請求項５】
前記握柄の略中央部の壁面にも前記発音部が形成されている、請求項４に記載のペットボトルを再利用した打撃応援用具。
【請求項６】
標準的なペットボトルの口に螺合するネジ山を形成した握柄であって、前記握柄は音を放出する発音部を備えると共に、前記ペットボトル内で発生した音を前記発音部から放出し得るように、前記発音部に至る音の通路が設けられていることを特徴とする、ペットボトルを再利用して打撃応援用具とするための握柄。
【請求項７】
前記発音部に向けてホーン形状を呈する、請求項６に記載のペットボトルを再利用して打撃応援用具とするための握柄。
【請求項８】
さらにストラップを備えている、請求項６に記載のペットボトルを再利用して打撃応援用具とするための握柄。
【請求項９】
２個１組である、請求項６に記載のペットボトルを再利用して打撃応援用具とするための握柄。
【請求項１０】
前記ネジ山を前記握柄の両端部に備えている、請求項６に記載のペットボトルを再利用して打撃応援用具とするための握柄。
【請求項１１】
前記握柄の略中央部の壁面にも前記発音部が形成されている、請求項１０に記載のペットボトルを再利用して打撃応援用具とするための握柄。
【請求項１２】
ボールを備えている、請求項６に記載のペットボトルを再利用して打撃応援用具とするための握柄。
【発明の詳細な説明】
【技術分野】
【０００１】  この発明は、飲料用として使い終えたペットボトルを再利用してスポーツなどの応援に用いることが出来るようにすることで、エコロジカルな資源の有効利用を行なうための、打撃応援用具及びその握柄に関する。
【背景技術】
【０００２】  いまや世を上げてのエコブームである。飲料を飲み終わって空になったペットボトルを環境保全や省エネルギーのために再利用することは、地球のためを慮った心優しい行為であると言うことが出来る。【０００３】  米国特許第４８８１７３６号はペットボトルの口部にキャップの代わりに螺着するハンドル２４であり、このハンドル２４を握りペットボトルの部分でボールを打つと言うようにおもちゃのバットとして使用することが出来るものである。また登録実用新案第３１２４９６９号は円筒形の専用グリップを収納するための凹部をペットボトル本体の底部中央に設けたものであり、凹部より専用グリップを取り出してペットボトルの口部に螺着させて、バット状のグッズとして使用することが出来るものである。なお米国特許第４８８１７３６号ではハンドル２４の中にパーティション２８が設けられている。同様に登録実用新案第３１２４９６９号では専用グリップの中に補強壁８が配されている。そもそもハンドル２４や専用グリップは、ペットボトルのキャップの代わりである（飲み残しがあっても漏れないように）という意識があるせいか、パーティション２８や補強壁８で閉じられている。
【特許文献１】  米国特許第４８８１７３６号
【特許文献２】  登録実用新案第３１２４９６９号
【発明の開示】
【発明が解決しようとする課題】
【０００４】  確かに何れもペットボトルをおもちゃのバットとして再利用することに成功している。しかしながら当発明者は使用済みのペットボトルをスポーツ観戦などの際に手で叩いて、あるいはペットボトル同士を叩き合わせて音を出すための打撃玩具として使用したいと考えた。そこでペットボトルに握柄を付けて手で持ち、ペットボトル本体を叩いてみると確かに打撃音が発生することが分かった。またペットボトルの種類を取り替えて叩いて見ると異なる音色の打撃音が得られることも分かった。ところがこの音は応援用として良く通るような音ではなくペットボトルの内部に篭ったような音になっている。これは発生した音を、音の発生源であるペットボトルの外へ出すことが出来ず、発生源の中に篭らせてしまうからである。これではスポーツの応援に適したものとは言えないのである。【０００５】  そこでこの発明は、握柄を持ってペットボトルを叩いた時に、あるいはペットボトル同士を叩き合わせた時に、遠くまで良く通るようなハッキリした音色の音を出すことが出来るようにすることを課題とする。
【課題を解決するための手段】
【０００６】  上記課題はペットボトルとこのペットボトルの口に螺合するネジ山を形成した握柄とから成るものであって、前記握柄は音を放出する発音部を備えると共に、前記ペットボトル内で発生した音を前記発音部から放出し得るように、前記発音部に至る音の通路が設けられていることを特徴とする、ペットボトルを再利用した打撃応援用具とすることにより達成される（請求項１の発明）。また上記課題は標準的なペットボトルの口に螺合するネジ山を形成した握柄であって、前記握柄は音を放出する発音部を備えると共に、前記ペットボトル内で発生した音を前記発音部から放出し得るように、前記発音部に至る音の通路が設けられていることを特徴とする、ペットボトルを再利用して打撃応援用具とするための握柄とすることにより達成される（請求項６の発明）。【０００７】  握柄はネジ山を以てペットボトルの口に取り付けられる。するとペットボトルの内部から握柄の発音部に至る音の通路が形成される（請求項４及び請求項１０の発明では、一方のペットボトルの内部から、握柄の発音部を経て他方のペットボトルに至る音の通路が形成される）。こうしてペットボトルと握柄とで打楽器様のものが構成される。なお請求項１の発明ではペットボトルと握柄とはセットであるから、握柄にはこのペットボトルの口専用にネジ山が形成されているわけであるが（ペットボトルには飲料を詰めて専用のキャップを締めて販売することが出来る）、請求項６の発明はペットボトルを再利用して打撃応援用具とするための「握柄」であるため、そのネジ山は標準的なペットボトルの口に螺合するものが形成されているのである。【０００８】  握柄をペットボトルの口に螺合させると両者は一体となるが、この握柄の内部はペットボトルの内部から握柄の発音部に至る間が抜けており音の通路となっており、ペットボトルを叩いた時に恰も太鼓のように良い音色の音が握柄の発音部から放出される。なるべく良い音となるように握柄の長さや肉厚などのサイズを工夫するとなお良い。なおこの握柄をバットの握柄に見立てて設計することで、ペットボトルをおもちゃのバット（良い音のするバットである）としても再利用することが出来る。これは例えば「エコバット」（当出願人のトレードマークである）などと呼称し得る。【０００９】  請求項２の発明は請求項１に記載の打撃応援用具に付いて、前記握柄が前記発音部に向けてホーン形状を呈するものとしている。握柄の内部が抜けて筒状となっており、ペットボトルを叩いた時に良い音がするような音の通路か設けられているわけであるから、これをホーン形状としてさらにその性能を向上させることが可能である。これは請求項７の握柄に付いても同様である。【００１０】  請求項３の発明は請求項１に記載の打撃応援用具に付いて、握柄がストラップを備えているものとしている。このストラップを手に掛けておけば、応援時にも携帯時にも落とすような心配が少なくなる。これは請求項８の握柄に付いても同様である。【００１１】  請求項４の発明は請求項１に記載の打撃応援用具に付いて、前記握柄がその両端部に前記ネジ山を備えるものとしている。握柄の両端部にネジ山が形成されていることによって、両側にペットボトルを取り付けることが出来る。そしてこの何れの側のペットボトルを叩いた時にも、発生した音を握柄の発音部を経て他方のペットボトルへと放出することが可能であるため、すなわち音の発生源であるところのペットボトルの外へ出すことが出来るため、音をただ発生源の中だけに篭らせてしまうことがなくなり、比較的クリアな音を出すようになる。要するに前記握柄は音の通路になっているわけであり通気があるため、ネジ山がある口は互いの発音部になっているのである。また前記握柄がその両端部に前記ネジ山を備えると共に、略中央部の壁面に前記開口部が形成されているものとすることが出来る。この開口部に付いて見てみると、両側に取り付けたペットボトルの何れの側のペットボトルを叩いた時にも、発生した音は握柄の略中央部の開口部からこの場合には外気に放出されてよりクリアな音となる。これは請求項１０の握柄に付いても同様である。なお取り付けるペットボトルの種類を違えることで異なる音色の打撃音を出すようにすることが可能である。請求項４の発明ではペットボトルに飲料を詰めて握柄とセットで販売することが出来るが、この際に２種類の異なる飲料を販売することが可能である。なお握柄の開口部は握柄を握る手で塞がれないように形成することが望ましい。【００１２】  次に請求項９の発明は請求項６に記載の握柄に付いて、２個１組であるものとしている。従ってペットボトルを２つ同時に再利用することが出来るし、ペットボトル同士を叩き合わせた時に遠くまで良く通るようなハッキリした音色の音を２つ同時に出すことが出来る。【００１３】  請求項１２の発明は請求項６に記載の握柄に付いて、ボールを備えているものとしている。この握柄に空のペットボトルを取り付ければ、それだけで打楽器を構成することが出来るが、ボールがセットであることにより、おもちゃのバットに見立ててのバッティング練習遊びを行なうことが可能になる。
【発明の効果】
【００１４】  この発明は、ペットボトルの口に螺合するネジ山を形成した握柄が、音を放出する開口部を備えると共に、前記ペットボトル内で発生した音を前記開口部から放出し得るように、前記開口部に至る音の通路が設けられているものであることにより、使用済みのペットボトルに前記握柄を取り付けて、スポーツ観戦などの際の打撃応援用具として、あるいは打楽器様のものとしてペットボトルを再利用することに成功している。そしてこの発明によれば、握柄を握ってペットボトル部分をもう一方の手で叩いた時にあるいはこの発明の打撃応援用具を両方の手に持ってペットボトル部分同士を叩き合わせた時に、内部に篭ることなく遠くまで良く通るようなハッキリした音色の音を、２つのペットボトルが共に放出することが出来るようになっている。
【発明を実施するための最良の形態】
【００１５】  以下この発明の実施形態を図面を参照しつつ説明するが、この発明はこれ等の実施形態にのみ限定されるものではなく、各種のバリエーションを与えることが出来る。【００１６】  第１実施形態
図１はこの実施形態の握柄１とペットボトルＰとを組み合わせて成る打撃応援用具であり、ペットボトルＰを再利用するための道具が握柄１である。この握柄１はプラスチック製の筒状体であり、その一側から他側に向けて音の通路となる音路１０が形成されており、一側の内部にペットボトルＰの口のネジ山Ｓに螺合するネジ山１１が形成され、他側には音を放出するための発音部１２が開口されている。【００１７】  この実施形態の握柄１を、一側に形成されたネジ山１１を以てペットボトルＰの口のネジ山Ｓに螺合させると、この実施形態の打撃応援用具が得られる。そして握柄１を手に持ち別の手でペットボトルＰ（打撃部である）を直接的に叩く。或いはバチ代わりの棒などがあればなお好ましい。これは言わば打楽器であり、空のペットボトルＰで発生した音はペットボトルＰの内部に篭ることなく握柄１の音路１０を通って発音部１２から外部に放出される。この音はスポーツなどの応援に適した、良く通るようなハッキリとした音となっている点が特微である。なお飲料用として使い終えたペットボトルＰは、たとえ２リットルのものであっても極めて軽く、このように軽いものを支える握柄１には強度的な問題は極めて少ない。【００１８】  なお、図１中で水平な矢線は打撃の方向を表したものであり、ペットボトルＰの内部から音路１０を抜けて発音部１２から外部に出る垂直の矢線は音を表したものである。打撃はペットボトルＰの底を叩くようにしても良い。【００１９】  なおこの実施形態の握柄１を２個１組として、２個１組の打撃応援用具を得ることが出来る。従ってペットボトルを２つ同時に再利用することが出来る。また異なる種類のペットボトルを用いるようにすると、異なる音色の音が得られることになる。このように２個１組とすることは、以下に説明する実施例に付いても同様である。【００２０】  第２実施形態
図２はこの実施形態の握柄２を表す。このものと図示しないペットボトルとを組み合わせることにより打撃応援用具が得られる。握柄２は木製であり、内部には中空の音路２０が作られており、一側の内部にはペットボトルの口のネジ山に螺合するネジ山２１が刻設されており、また他側には音を放出するためのホーン部２２が形作られている。【００２１】  前記ネジ山２１を以てペットボトルの口に取り付け、握柄２を手に持って別の手でペットボトルを叩くと、内部で発生した音は音路２０を通ってホーン部２２より外部に放出される。矢線で示したように音はホーン部２２から外部に広がるようになっている。このホーン部２２の設計により音質をより良好にすることが可能である。【００２２】  第３実施形態
図３はこの実施形態の握柄３を表し、このものと図示しないペットボトルとを組み合わせることにより打撃応援用具が得られるが、この握柄３は上述した第１実施例の握柄１に類似するものの、ストラップ３２を備えている点で握柄１とは異なる。なお符号３０は内部に図示しないネジ山を備えており、ここを以て握柄３はペットボトルの口に取り付けられる。また符号３１は発音口であり、従って握柄３の内部は中空の音路となっている。【００２３】  この実施形態の握柄３はストラップ３２を備えている。従ってこのストラップ３２に手を通しておけば、応援時にも携帯時にも落としたり無くしたりするような心配が少なくて良い。ペットボトルを付けて打撃応援用具としたものでもこのストラップは有効である。【００２４】  第４実施形態
図４はこの実施形態の握柄４を表す。このものと２つのペットボトルＰ，Ｐとを組み合わせることにより、打撃部を２つ備えた打撃応援用具が得られる。従って用いるペットボトルの種類や大きさを変えることで、異なった音を出すことが可能である。またこの実施形態の握柄４を２つ用いると、計４つの打撃部を得ることが出来る。【００２５】  図４はこの実施形態の握柄４と２つのペットボトルＰ，Ｐ（部分的に表した）とを組み合わせて成る打撃応援用具であり、２つのペットボトルＰ，Ｐを再利用するための道具が握柄４である。この握柄４はプラスチック製の筒状体であり、両端部の間に音の通路となる音路（図示せず）が形成されており、両端部に共にペットボトルＰの口のネジ山Ｓに螺合するネジ山（図示せず）が形成された接続口４０，４０が設けられており、中央部に発音の開口部である所の１つのホーン部４１を有する。すなわちホーン部４１は２つのペットボトルＰ，Ｐに共有されるものである。【００２６】  この構成により握柄４の両側の接続口４０，４０にペットボトルＰ，Ｐを取り付けることができ、この何れの側のペットボトルＰ，Ｐを叩いた時にも、叩いた側のペットボトルの中に音が篭ることなくクリアな音が主として握柄４の中央部のホーン部４１から外気に放出される。なおこのホーン部４１は、握柄４を握る手で塞がないように注意することが望ましい。このため推奨される握柄４の握り方としては、例えば人差し指と中指との間にホーン部４１を挟むと言うものである。なお更に接続口４０の数を３つ４つと増やしたものを製造することが可能である。この際接続口４０やホーン部４１を平面で放射状に配設する他にも、立体的に放射状に配設したものとすることが出来る。なおこの他の実施例として前記ホーン部４１を設けずに単なる開口としたものを、或いはそもそも開口部を形成しないものを上げることが出来る。また個数を複数にして開口部を設ける実施例もあり得る。【００２７】  第５実施形態
図５はこの実施形態の握柄５を表し、このものと図示しないペットボトルとを組み合わせることにより打撃応援用具が得られるが、この握柄５にはボール６とヘッダー７とを付属させている点に最大の特徴を有する。なお握柄５は第１実施例の握柄１と同じものである。すなわち握柄５はプラスチック製の筒状体であって、その一側から他側に向けて音の通路となる音路５０が形成されている。この一側の内部にペットボトルの口のネジ山に螺合するネジ山５１が形成され、他側に音を放出するための発音部５２が開口されている。【００２８】  この握柄５にボール６を付属させている理由は、握柄５にペットボトルを取り付けて打撃応援用具として用いる他に、これをバットに見立てて付属のボール６を打って遊ぶことが直ぐに出来るようにするためである。このボール６に連結紐７０（ゴム紐である）を通して、連結紐７０を握柄５の発音部５２の側から音路５０に通してネジ山５１がある接続口の側でヘッダー７に取り付けている。従って連結紐７０の弾力性によりボール６とヘッダー７とは握柄５にきちんと一体化する（連結紐をゴム紐とせずに伸縮しないものを用いる実施例も可能である）。なおヘッダー７にはペットボトルの絵が印刷されているため、この握柄５の使用法が一目瞭然となる効果がある。ボール６の使用に際しては連結紐７０を解いたり切断するなどすれば良い。【００２９】  なおこの発明の握柄は上述した材質に拘らないから、例えば金属製のものなども利用可能である。また握柄の長さに限定はなく、楽器のように音路を長く取るために握柄の筒を巻いたような形態にしても良い。また握柄は横断面の形状が円形に限定されない。第５実施形態の握柄５にはボール６を付属させたが、ペットボトルを叩くバチを付属させるようにしても良い。握柄とペットボトルとを一体化させるために握柄にネジ山を設けているがチャック等でペットボトルの口を固定するような構成とすることも可能であり、これもまたこの発明の権利範囲内のものである。
【産業上の利用可能性】
【００３０】  なおこの発明は飲料用として使い終えたペットボトルの再利用によって、エコロジカルな資源の有効利用を行なうことを目的としている。この目的に適うものとして、ネジ山にキャップを螺合させるタイプの飲料用のアルミニウム缶などによっても、この発明を構成することが可能である。
【図面の簡単な説明】
【００３１】
【図１】  第１実施形態の部分断面図である。
【図２】  第２実施形態の断面図である。
【図３】  第３実施形態の正面図である。
【図４】  第４実施形態の部分正面図である。
【図５】  第５実施形態の部分断面図である。
【符号の説明】
【００３２】１    握柄
１０  音路
１１  ネジ山
１２  発音部
２    握柄
２０  音路
２１  ネジ山
２２  ホーン部
３    握柄
３０  接続口
３１  発音部
３２  ストラップ
４    握柄
４０  接続口
４１  ホーン部
５    握柄
５０  音路
５１  ネジ山
５２  発音部
６    ボール
７    ヘッダー
７０  連結紐
【図１】
2010064787.tif 000003
【図２】
2010064787.tif 000004
【図３】
2010064787.tif 000005
【図４】
2010064787.tif 000006
【図５】
2010064787.tif 000007